(57)【要約】【課題】  簡易な手段によって、駐車場利用者に対する割引または無料化を実現可能なシステムを補助するための印刷物を提供する。【解決手段】  店舗における買い物の領収書と、その買い物による駐車場割引チケットとを兼用する長方形の印刷物とする。駐車場の割引に関するデータをコード化した駐車割引バーコード(11)を含む駐車場関連データ印刷領域(10)と、その駐車場関連データ印刷領域(10)以外の印刷可能領域において、領収書としてのデータが印刷される領収書関連データ印刷領域(20)とを備える。駐車割引バーコード(11)は、当該印刷物における長方形の一辺に近接させて配置する。【選択図】  図１
0003122444.tif 000002
【実用新案登録請求の範囲】
【請求項１】
店舗における買い物の領収書と、その買い物による駐車場割引チケットとを兼用する長方形の印刷物であって、
駐車場の割引に関するデータをコード化した駐車割引バーコードを含む駐車場関連データ印刷領域と、
その駐車場関連データ印刷領域以外の印刷可能領域において、領収書としてのデータが印刷される領収書関連データ印刷領域とを備え、
前記駐車割引バーコードは、当該印刷物における長方形の一辺に近接させて配置したことを特徴とする印刷物。
【請求項２】
前記領収書関連データ印刷領域においては、領収金額に関するデータをコード化した領収書バーコードを、駐車場関連データ印刷領域に近接させて配置したことを特徴とする請求項１に記載の印刷物。
【請求項３】
感熱記録紙に対する片面印刷であることを特徴とする請求項１または請求項２のいずれかに記載の印刷物。
【考案の詳細な説明】
【技術分野】
【０００１】
本考案は、感熱紙などを印刷用紙として各種の情報を所定のレイアウトで印刷することによって、買い物のレシートとしても駐車割引券としても使うことができる印刷物に関する。
【背景技術】
【０００２】
駐車場が併設された店舗においては、店舗利用者に対する駐車場の提供と駐車場の不正使用の防止とを両立させるため、駐車場の利用料金の割引サービスを、店舗における買い物の金額に応じて行うことが一般的である。
【０００３】
上記のサービスを提供している大抵の店舗においては、店舗における買い物のレシートを店舗内の係員が確認し、所定以上の金額に達している場合には、駐車スタンプを駐車券に捺印するなどの作業によって、割引や無料の手続きを行っている。
ここにおける係員の作業を省力化（スタンプ捺印作業の省略）するために、以下のような技術が提供されている。
【０００４】
【特許文献１】特開２００４−２８８１３０号公報
【考案の開示】
【考案が解決しようとする課題】
【０００５】
前述した特許文献に記載の技術は、システムの大規模な構築が必要となり、店舗側の負担が大きい。
【０００６】
本考案が解決しようとする課題は、できるだけ簡易な手段によって、駐車場利用者に対する割引または無料化を実現可能なシステムを補助するための印刷物に関する技術を提供することにある。
【課題を解決するための手段】
【０００７】
（請求項１）
請求項１に記載の考案は、店舗における買い物の領収書と、その買い物による駐車場割引チケットとを兼用する長方形の印刷物に係る。
すなわち、駐車場の割引に関するデータをコード化した駐車割引バーコード(11)を含む駐車場関連データ印刷領域(10)と、その駐車場関連データ印刷領域(10)以外の印刷可能領域において、領収書としてのデータが印刷される領収書関連データ印刷領域(20)とを備え、  前記駐車割引バーコード(11)は、当該印刷物における長方形の一辺に近接させて配置したことを特徴とする。
【０００８】
（作用）
駐車割引バーコード(11)が、当該印刷物における長方形の一辺に近接させて配置されているので、駐車場における自動精算機への挿入、および自動精算機における駐車割引バーコード(11)のデータ読み取りが合理的に行える。
また、一枚の印刷物に領収書と駐車場割引チケットとしての機能とが兼用されているので、買い物客にとって便利であるとともに、駐車割引スタンプを捺印するための人員を省略することに寄与する。
【０００９】
（請求項２）
請求項２に記載の考案は、請求項１に記載の印刷物を限定したものである。
すなわち、前記領収書関連データ印刷領域(20)においては、領収金額に関するデータをコード化した領収書バーコード(21)を、駐車場関連データ印刷領域(10)に近接させて配置したことを特徴とする。
【００１０】
（作用）
駐車場における自動精算機が、領収金額に関するデータを欲する場合がある。その場合のデータが領収書バーコード(21)として印刷されているので、当該自動精算機が領収金額のデータを読み込むことについて、合理的な配置となっている。
【００１１】
（請求項３）
請求項３に記載の考案は、請求項１または請求項２に記載の印刷物を限定したものであり、
感熱記録紙に対する片面印刷であることを特徴とする。
【００１２】
（作用）
請求項３に記載の考案によれば、両面印刷、インクリボン式の印刷などに比べて、印刷設備を簡素化でき、消耗品もないので、印刷物に関するトータルコストの削減に寄与する。
【考案の効果】
【００１３】
請求項１から請求項３に記載の考案によれば、簡易な手段によって、駐車場利用者に対する割引または無料化を実現可能なシステムを補助するための印刷物を提供することができた。
【考案を実施するための最良の形態】
【００１４】
以下、図面に示した本考案の実施形態に基づき、本考案をさらに詳細に説明する。ここで使用する図面は図１であり、本願考案の実施形態を示す。
【００１５】
図1に示すのは、店舗における買い物の領収書と、その買い物による駐車場割引チケットとを兼用する長方形の印刷物のレイアウトである。
この印刷物には、駐車場の割引に関するデータをコード化した駐車割引バーコード１１を含む駐車場関連データ印刷領域１０を含んでいる。この駐車割引バーコード１１は、当該印刷物における長方形の一辺に近接させて配置している。
【００１６】
また、その駐車場関連データ印刷領域１０以外の印刷可能領域において、領収書としての表示２２と、領収書としての明細データが印刷される領収書関連データ印刷領域２０を備える。
【００１７】
買い物客は、上記のような駐車場割引チケットを兼用した領収書を持って、駐車場に行く。そして、図示を省略するが駐車場における自動精算機に、当該領収書を挿入する。すると、その領収書には、駐車割引バーコード１１が領収書の端部に印刷されているので、駐車場における自動精算機への挿入、および自動精算機における駐車割引バーコード１１のデータ読み取りが合理的に行える。
【００１８】
駐車料金については、買い物の金額に応じた段階的な割引が設定されている場合がある。その場合には駐車場における自動精算機が、領収金額に関するデータを欲することとなる。
さて、その場合のデータは、領収書バーコード２１として印刷されており、その領収書バーコード２１は駐車割引バーコード１１に近接して配置されているので、当該自動精算機が領収金額のデータを読み込むのに合理的である。
【００１９】
なお、複数の領収書を持った買い物客においては、自動精算機が他の領収書の挿入を自動的に要求し、最大の割引が適用されるように、システムが構成されていることが一般的である。
【００２０】
本実施形態に係る駐車場割引チケットを兼用した領収書は、感熱記録紙に対する片面印刷によって行われることとしている。両面印刷、インクリボン式の印刷などに比べて、印刷設備を簡素化でき、消耗品もないので、印刷物に関するトータルコストの削減に寄与するからである。
【図面の簡単な説明】
【００２１】
【図１】本考案に係る印刷物のレイアウトを示す図である。
【符号の説明】
【００２２】
１０  駐車場関連データ印刷領域    １１  駐車割引バーコード
２０  領収書関連データ印刷領域    ２１  領収書バーコード
２２  領収書表示
【図１】
0003122444.tif 000003
【手続補正書】
【提出日】平成18年4月12日(2006.4.12)
【手続補正１】
【補正対象書類名】実用新案登録請求の範囲
【補正対象項目名】全文
【補正方法】変更
【補正の内容】
【実用新案登録請求の範囲】
【請求項１】
店舗における買い物の領収書と、その買い物による駐車場割引チケットとを兼用する長方形の印刷物であって、
駐車場の割引に関するデータをコード化した駐車割引バーコードを含む駐車場関連データ印刷領域と、
その駐車場関連データ印刷領域以外の印刷可能領域において、領収書としてのデータが印刷される領収書関連データ印刷領域とを連続させて配置するとともに、
前記駐車割引バーコードは、当該印刷物における長方形の短辺の一つに近接させて配置したことを特徴とする印刷物。
【請求項２】
前記領収書関連データ印刷領域においては、領収金額に関するデータをコード化した領収書バーコードを、駐車場関連データ印刷領域に近接させて配置したことを特徴とする請求項１に記載の印刷物。
【請求項３】
感熱記録紙に対する片面印刷であることを特徴とする請求項１または請求項２のいずれかに記載の印刷物。